(57)【要約】      （修正有）【課題】バリ取りカッティングヘッドを提供する。【解決手段】バリ取りカッティングヘッド１００は気動／電動工具の工具ヘッドに取り付けられる。バリ取りカッティングヘッド１００は本体１０と、挟着装置２０とを有する。本体１０の一端に錐状を呈するブレード部１１を有し、ブレード部１１の反対端に取り付け部１２が設置され、取り付け部１２は工具ヘッドを組み付けるために、取り付け穴１３を有する。挟着装置２０は取り付け部１２に設置され、挟着装置２０の一部分は取り付け穴１３から突出して露出し、工具ヘッドの環状凹溝に挟着される。【選択図】図２
0003223550.tif 000002
【実用新案登録請求の範囲】
【請求項１】
気動／電動工具の工具ヘッドに取り付けされるバリ取りカッティングヘッドであって、
前記バリ取りカッティングヘッドは、本体と、挟着装置とを有し、
前記本体の一端には、錐状を呈するブレード部を有し、前記ブレード部の反対端には、取り付け部が設置され、前記取り付け部は、前記工具ヘッドと組み付けるために、取り付け穴を有し、
前記挟着装置は、前記取り付け部に設置され、さらに前記挟着装置の一部分は、前記取り付け穴から突出して露出し、前記工具ヘッドの環状凹溝に挟着されることを特徴とする、
バリ取りカッティングヘッド。
【請求項２】
前記挟着装置は、前記取り付け穴の軸に垂直となる方向に沿って変形変移を生じ、前記環状凹溝に横方向から挟着でき、前記挟着装置は、挟着部と、前記挟着部に接続される定位部とをさらに有し、前記挟着部と前記取り付け部は、相互に弾性変移を生じることができ、前記取り付け部は、前記取り付け穴と連通する横溝を有し、前記挟着部は、前記横溝に設置され、一部分は前記取り付け穴から露出し、前記定位部は、前記取り付け部の周縁に設置され、前記挟着部は、前記定位部と一体成形され、前記挟着部は真っ直ぐであり、前記横溝に収容して設置され、前記定位部は、前記挟着部の一端から弧状に延伸し、前記取り付け部の周縁に設置されることを特徴とする請求項１に記載のバリ取りカッティングヘッド。
【請求項３】
前記挟着装置は、前記取り付け穴の軸に垂直となる方向に沿って変形変移を生じ、前記環状凹溝に横方向から挟着でき、前記挟着装置は、挟着部と、前記挟着部に接続される定位部とをさらに有し、前記挟着部と前記取り付け部は、相互に弾性変移を生じることができ、前記取り付け部は、前記取り付け穴に連通する横溝を有し、前記挟着部は、前記横溝に設置され、一部分は前記取り付け穴から露出し、前記定位部は、前記取り付け部の周縁に設置され、前記挟着部は、前記定位部と一体成形され、前記挟着部は真っ直ぐであり、前記横溝に収容して設置され、前記定位部は、前記挟着部の両端から弧状に延伸し、前記取り付け部の周縁に設置されることを特徴とする請求項１に記載のバリ取りカッティングヘッド。
【請求項４】
前記取り付け部は周縁が円形で、さらに前記横溝と異なる片側に、環状溝が設置され、これに前記定位部が嵌めて設置することを特徴とする請求項２或いは３に記載のバリ取りカッティングヘッド。
【請求項５】
前記挟着部の断面は円形であることを特徴とする請求項２或いは３に記載のバリ取りカッティングヘッド。
【請求項６】
前記取り付け部は、前記本体の、前記ブレード部から離れる方向に突出状に設置され、前記取り付け穴は、前記ブレード部方向へと陥没状に設置されることを特徴とする請求項１に記載のバリ取りカッティングヘッド。
【請求項７】
前記取り付け穴は多角状であり、前記工具ヘッドの断面は多辺形であることを特徴とする請求項１に記載のバリ取りカッティングヘッド。
【考案の詳細な説明】
【技術分野】
【０００１】
本考案はバリ取りカッティングヘッドに関し、特に気動／電動工具の工具ヘッドに取り付け可能なバリ取りカッティングヘッドに関する。
【背景技術】
【０００２】
パイプ部材は加工後或いは拡張後に端部の辺縁に細かいバリが生じる。バリを取り除かなければ、操作者に怪我をさせ、或いは外観にも影響を及ぼす。
【０００３】
従来の解決法では、バリ取り工具を用い、人手によりスクレープしていたが、施工者の力の入れ方はそれぞれ異なるため、バリ取り後のパイプ部材の品質が一致せず、時間もかかる。
さらに、人手による処理では、大量の加工を行うことができない。よって、従来の方法には改良の必要がある。
【考案の概要】
【考案が解決しようとする課題】
【０００４】
前記先行技術には、施工者の力の入れ方がそれぞれ異なるため、バリ取り後のパイプ部材の品質が一致せず、時間がかかり、さらに大量の加工を行うことができないという欠点がある。
【課題を解決するための手段】
【０００５】
本考案は挟着装置によって気動／電動工具の工具ヘッドに挟着でき、これによりバリ取りカッティングヘッドを気動／電動工具に取り付けてバリ取り作業が行え、作業効率や質を向上させるバリ取りカッティングヘッドに関する。
【０００６】
本考案によるバリ取りカッティングヘッドは、気動／電動工具の工具ヘッドに取り付けられ、バリ取りカッティングヘッドは、本体と、挟着装置とを有する。
該本体の一端には、錐状を呈するブレード部を有し、ブレード部の反対端には、取り付け部が設置され、取り付け部は、工具ヘッドを組み付けるための取り付け穴を有する。
該挟着装置は、取り付け部に設置され、さらに挟着装置の一部分は、取り付け穴から突出して露出し、工具ヘッドの環状凹溝に挟着される。
【０００７】
本考案による本体は、挟着装置により気動／電動工具の工具ヘッドに挟着或いは係合設置でき、操作者は気動／電動工具を利用し本体を駆動して、バリ取りの必要なパイプ部材或いは物件に対してバリのスクレープ作業を行うことができ、作業速度と作業の質を向上させる。
【図面の簡単な説明】
【０００８】
【図１】本考案によるバリ取りカッティングヘッドの外観を示す斜視図である。
【図２】本考案によるバリ取りカッティングヘッドの構造を示す分解斜視図である。
【図３】本考案によるバリ取りカッティングヘッドの上面図である。
【図４】本考案によるバリ取りカッティングヘッドが気動／電動工具の工具ヘッドに取り付けられる様子を示す斜視図である。
【図５】本考案によるバリ取りカッティングヘッドと工具ヘッドとの組合せ状態を示す平面断面図で、挟着装置が工具ヘッドに未挟着の様子を示す。
【図６】本考案によるバリ取りカッティングヘッドと工具ヘッドとの組合せ状態を示す平面断面図で、挟着装置が工具ヘッドの環状凹溝に挟着された様子を示す。
【考案を実施するための形態】
【０００９】
本考案は図に対応し、実施形態の形式で以下の通り詳細な説明を行う。
その内、使用する図は、明細書の補助に用いるだけで、本考案による実際の比率を示すものではない。
【００１０】
図１〜図６に示す通り、本考案によるバリ取りカッティングヘッド１００は、本体１０と挟着装置２０とを有する。
バリ取りカッティングヘッド１００は、気動／電動工具１の工具ヘッド２に取り付けられ、気動／電動工具１の駆動によって連動され、パイプ部材の辺縁におけるバリのスクレープを行う（図４を参照）。
【００１１】
本体１０の一端には、錐状を呈するブレード部１１を有し、ブレード部１１の反対端には、取り付け部１２が設置される。
取り付け部１２は、工具ヘッド２を組み付けるために、取り付け穴１３を有する。
本考案の実施形態中において、取り付け部１２は、本体１０の、ブレード部１１から離れる方向に突出状に設置される。
取り付け穴１３は、ブレード部１１方向へと陥没状に設置され、さらに取り付け部１２の周縁は円形で、横溝１２１を有し、取り付け穴１３と連通する。
さらに、取り付け部１２は横溝１２１と異なる片側に、環状溝１２２が設置される。
なお、工具ヘッド２の断面は多辺形であり、例えば六角形である。取り付け穴１３は多角状、例えば六角孔である。これにより工具ヘッド２は取り付け穴１３に挿入して設置される。
【００１２】
本考案の実施形態中では、挟着装置２０は、取り付け部１２に設置され、さらに挟着装置２０の一部分は、取り付け穴１３から突出して露出し、工具ヘッド２の環状凹溝３に挟着される。
これにより、工具ヘッド２は本体１０に堅固に係合して定位され、本体１０が工具ヘッド２から容易に外れることはない。
【００１３】
さらに、挟着装置２０は、取り付け穴１３の軸に垂直となる方向に沿って変形変移を生じ、環状凹溝３に横方向から挟着できる。
本考案の実施形態中において、挟着装置２０は、挟着部２１と、挟着部２１に接続される定位部２２とを有する。
挟着部２１と取り付け部１２は、相互に弾性変移を生じることができる。
挟着部２１の断面は円形で、さらに外形は真っ直ぐであり、定位部２２は、挟着部２１と一体成形される。
挟着部２１は、横溝１２１に収容して設置され、さらにその一部分は、取り付け穴１３から突出して露出する。
定位部２２は、挟着部２１の両端から弧状に延伸され、取り付け部１２の周縁に嵌めて設置され、こうして環状溝１２２に定位される。
他の実施形態中では、定位部２２は、挟着部２１の一端から弧状に延伸され、取り付け部１２周縁の環状溝１２２に設置され定位される。
【００１４】
図２に合わせて図４〜図６を参照する。本考案の挟着部２１と定位部２２との間には、弾性預力を備え、これにより両者は相対弾性変移が可能である。
工具ヘッド２と未接続時には、挟着部２１の一部分は、取り付け穴１３から突出して露出し、工具ヘッド２が、取り付け穴１３に挿入して設置されるとき、挟着部２１は内向きに縮んで変移し、こうして工具ヘッド２の插入に有利である。
環状凹溝３が挟着部２１に対応する時、挟着部２１によって復位し、工具ヘッド２の環状凹溝３に挟着或いは係合設置され、こうして堅固な組み付け定位効果を達成する。
【００１５】
一実施形態中では、挟着部２１と定位部２２にはスチールボールやバネが使用でき、これらも同様に、弾性挟着の効果を達成できる。
【００１６】
よって、本考案の本体１０は、挟着装置２０により気動／電動工具１の工具ヘッド２に挟着或いは係合設置でき、操作者は、気動／電動工具１を利用し本体１０を駆動でき、バリ取りの必要なパイプ部材或いは物件に対してバリのスクレープを行うことができる。
こうすることで、スクレープの力加減が制御でき、パイプ部材或いは物件の品質の均一性が確保でき、大量のパイプ部材或いは物件に対しても楽に作業を完成することができる。
【００１７】
前述した本考案の実施形態は本考案を限定するものではなく、よって、本考案により保護される範囲は実用新案登録請求の範囲を基準とする。
【符号の説明】
【００１８】
１００  バリ取りカッティングヘッド
１０    本体
１１    ブレード部
１２    取り付け部
１２１  横溝
１２２  環状溝
１３    取り付け穴
２０    挟着装置
２１    挟着部
２２    定位部        
１      気動／電動工具
２      工具ヘッド
３      環状凹溝
【図１】
0003223550.tif 000003
【図２】
0003223550.tif 000004
【図３】
0003223550.tif 000005
【図４】
0003223550.tif 000006
【図５】
0003223550.tif 000007
【図６】
0003223550.tif 000008